(57)【要約】
【課題】　ラベリングマシンの紙押さえ装置の提供。
【解決手段】　ラベリングマシンの送出口ロッドに配置され、並びにロッド上で移動調整可能で、且つ送出口の押し板を押さえる紙押さえ装置であり、該ロッドが挿通されたケースと、該ケース内に収容されてケース外に突出する調整ユニットと、該調整ユニットとロッドの間に設けられた係合ユニットと、該ケース内に配置されて調整ユニットの下方に位置する内回転輪と、ケース内に配置され並びに内回転輪の下方に位置する弾性ユニットと、該ケース内部にあって弾性ユニットの下方に位置決めされた押さえユニットで構成され、ケースが左右に移動する時、係合ユニットがロッドの位置決め孔に対応し係合し、該調整ユニットに接続された弾性ユニットが紙押さえ装置の締めつけ度を調整するのに用いられ、弾性ユニットの底端に接続された押さえユニットが紙を圧迫する押し板に平均して施力する。
【選択図】　　　　図３
0003099995.tif 000002
【実用新案登録請求の範囲】
【請求項１】
　ラベリングマシンの紙押さえ装置において、該ラベリングマシンの紙押さえ装置はラベリングマシンの送出口ロッドに配置され、並びにロッド上で移動調整可能で、且つ送出口の押し板を押さえるのに用いられ、
　内部に収容空間を具え、且つ両側に該収容空間と連通し且つ上述のロッドに組み合わせられる穿孔が設けられ、別の両側に相互に対応し且つ上述の収容空間と連通する凹口が設けられ、別に底端に開口が設けられたケースと、
　上述の収容空間に配置されると共に上述のロッドの下に位置し、且つ上述の凹口よりケース外部に延伸された調整ユニットと、
　上述の収容空間に配置されると共に上述の調整ユニットの下方に配置された弾性ユニットと、
　上述の収容空間に配置されると共に上述の弾性ユニットの下方に配置された押さえユニットと、
　を具え、上述の調整ユニットが回されることで弾性ユニットが押さえユニットを弾性圧迫して押さえユニットをラベリングマシンの送出口の押し板上に圧接させ、送出されるラベル紙の寸法に応じた調整が行なえることを特徴とする、ラベリングマシンの紙押さえ装置。
【請求項２】
　前記ロッドに少なくとも一つの位置決め孔が設けられたことを特徴とする、請求項１記載のラベリングマシンの紙押さえ装置。
【請求項３】
　前記調整ユニットが外回転輪と内回転輪を具え、該外回転輪の底面に外ラチェット爪が設けられ、該内回転輪の軸方向に沿って外回転輪と隣接する上端に該外ラチェット爪と組み合わされる内ラチェット爪が設けられ、該内回転輪が中空を呈することを特徴とする、請求項１記載のラベリングマシンの紙押さえ装置。
【請求項４】
　前記外回転輪に係合ユニットが配置され、この係合ユニットがロッドの位置決め孔に位置決めされることを特徴とする、請求項３記載のラベリングマシンの紙押さえ装置。
【請求項５】
　前記外回転輪に模様を具えた環側面が設けられたことを特徴とする、請求項３記載のラベリングマシンの紙押さえ装置。
【請求項６】
　前記外回転輪の表面に環状に順に番号が設けられたことを特徴とする、請求項３記載のラベリングマシンの紙押さえ装置。
【請求項７】
　前記弾性ユニットがバネとされたことを特徴とする、請求項１記載のラベリングマシンの紙押さえ装置。
【請求項８】
　前記弾性ユニットが板バネとされたことを特徴とする、請求項１記載のラベリングマシンの紙押さえ装置。
【請求項９】
　前記ケースの両側面に固定孔が設けられたことを特徴とする、請求項１記載のラベリングマシンの紙押さえ装置。
【請求項１０】
　前記押さえユニットがケースの二つの固定孔に対応する二つの相互に対応する保持部と、底端の接触部を具えたことを特徴とする、請求項１記載のラベリングマシンの紙押さえ装置。
【請求項１１】
　前記接触部が左右方向に外向きに延伸された延伸部を具えたことを特徴とする、請求項１０記載のラベリングマシンの紙押さえ装置。
【請求項１２】
　前記ケースの両側面に延伸部と組み合わされる凹部が設けられ、この凹部が底端の開口と連通することを特徴とする、請求項９記載のラベリングマシンの紙押さえ装置。
【請求項１３】
　前記接触部が円弧面とされたことを特徴とする、請求項９記載のラベリングマシンの紙押さえ装置。
【請求項１４】
　前記接触部が平面とされたことを特徴とする、請求項９記載のラベリングマシンの紙押さえ装置。
【考案の詳細な説明】
【技術分野】
【０００１】
　本考案は一種のラベリングマシンの紙押さえ装置に係り、特に、ラベル紙の寸法による調整が行ない、ラベル紙を有効に押さえることができる押さえ装置に関する。
【背景技術】
【０００２】
　図１に示されるように、周知のラベリングマシンは、一対の押さえ装置１ａがそれぞれの対応するロッド２ａの所定の位置に套設され、並びにネジ３ａで固定されている。該押さえ装置１ａはそれぞれ下向きに押し板４ａに施力する。押さえ装置１ａの間隔は紙５ａの寸法に対応し、該紙５ａが押し板４ａの下方に送られた時にこの力を受けて平らに整えられ、これにより紙５ａの出紙フローが順調に制御される。
【０００３】
　該押さえ装置１ａは中空の管体１１ａと、該管体１１ａの上端のキャップ部１２ａ、該管体１１ａ内部に枢設されたバネ１３ａ、及び該バネ１３ａの下端に接続され並びに該管体１１ａより突出する押さえ柱１４ａを具えている。そのうち、該管体１１ａは上端近くの側面に二つの相互に対応する穿孔１１１ａを具え、下端に開口１１２ａを具えている。該穿孔１１１ａの孔径は該ロッド２ａの直径とマッチし、これにより押さえ装置１ａがロッド２ａに套設され、該開口１１２ａの孔径は該管体１１ａの内径より小さく、該押さえ柱１４ａの一部の挿入に供され、これにより押さえ柱１４ａが該管体１１ａ外に突出している。これにより、バネ１３ａが該押さえ装置１ａの下向き施力の力を調整するのに用いられ、該押さえ柱１４ａが該押し板４ａを押圧し、これにより紙５ａの出紙の順調性が制御される。
【０００４】
　周知のラベリングマシンの出紙時に、該紙５ａはこの一対の押さえ装置１ａの押さえ柱１４ａ間が所定距離離れ、且つ該押し板４ａを圧迫する力を受けて平坦面とされ、この所定距離は該紙５ａの寸法に対応し、これにより紙５ａに反り返りや折れが発生せず、紙５ａが順調に送出される。
【０００５】
　ゆえに、異なる寸法の紙５ａを使用する時は、それに対応して押さえ装置１ａ間の距離を調整する必要がある。この時は工具例えばネジ回しを用いてネジ３ａを外し、さらに押さえ装置１ａ間の距離を調整しなければならない。このため実際の使用上、機動性に欠け且つ調整に不便である。
【０００６】
　また、該押さえ装置１ａはそれぞれ押さえ柱１４ａで下向きに施力して押し板４ａと点接触を形成するが、施力を平均させにくい問題がある。
【考案の開示】
【考案が解決しようとする課題】
【０００７】
　本考案の主要な目的は、一種のラベリングマシンの紙押さえ装置を提供することにあり、それは、ラベリングマシンの紙送出口のロッドに配置されて、ラベル紙の寸法による調整が行なえ、有効にラベル紙を押さえることができる押さえ装置であり、またこの押さえ装置とラベリングマシンの押し板の間に線接触或いは線接触よりも範囲が更に大きい面接触を形成し、良好な施力平均性を達成するものとする。
【課題を解決するための手段】
【０００８】
　請求項１の考案は、ラベリングマシンの紙押さえ装置において、該ラベリングマシンの紙押さえ装置はラベリングマシンの送出口ロッドに配置され、並びにロッド上で移動調整可能で、且つ送出口の押し板を押さえるのに用いられ、
　内部に収容空間を具え、且つ両側に該収容空間と連通し且つ上述のロッドに組み合わせられる穿孔が設けられ、別の両側に相互に対応し且つ上述の収容空間と連通する凹口が設けられ、別に底端に開口が設けられたケースと、
　上述の収容空間に配置されると共に上述のロッドの下に位置し、且つ上述の凹口よりケース外部に延伸された調整ユニットと、
　上述の収容空間に配置されると共に上述の調整ユニットの下方に配置された弾性ユニットと、
　上述の収容空間に配置されると共に上述の弾性ユニットの下方に配置された押さえユニットと、
　を具え、上述の調整ユニットが回されることで弾性ユニットが押さえユニットを弾性圧迫して押さえユニットをラベリングマシンの送出口の押し板上に圧接させ、送出されるラベル紙の寸法に応じた調整が行なえることを特徴とする、ラベリングマシンの紙押さえ装置としている。
　請求項２の考案は、前記ロッドに少なくとも一つの位置決め孔が設けられたことを特徴とする、請求項１記載のラベリングマシンの紙押さえ装置としている。
　請求項３の考案は、前記調整ユニットが外回転輪と内回転輪を具え、該外回転輪の底面に外ラチェット爪が設けられ、該内回転輪の軸方向に沿って外回転輪と隣接する上端に該外ラチェット爪と組み合わされる内ラチェット爪が設けられ、該内回転輪が中空を呈することを特徴とする、請求項１記載のラベリングマシンの紙押さえ装置としている。
　請求項４の考案は、前記外回転輪に係合ユニットが配置され、この係合ユニットがロッドの位置決め孔に位置決めされることを特徴とする、請求項３記載のラベリングマシンの紙押さえ装置としている。
　請求項５の考案は、前記外回転輪に模様を具えた環側面が設けられたことを特徴とする、請求項３記載のラベリングマシンの紙押さえ装置としている。
　請求項６の考案は、前記外回転輪の表面に環状に順に番号が設けられたことを特徴とする、請求項３記載のラベリングマシンの紙押さえ装置としている。
　請求項７の考案は、前記弾性ユニットがバネとされたことを特徴とする、請求項１記載のラベリングマシンの紙押さえ装置としている。
　請求項８の考案は、前記弾性ユニットが板バネとされたことを特徴とする、請求項１記載のラベリングマシンの紙押さえ装置としている。
　請求項９の考案は、前記ケースの両側面に固定孔が設けられたことを特徴とする、請求項１記載のラベリングマシンの紙押さえ装置としている。
　請求項１０の考案は、前記押さえユニットがケースの二つの固定孔に対応する二つの相互に対応する保持部と、底端の接触部を具えたことを特徴とする、請求項１記載のラベリングマシンの紙押さえ装置としている。
　請求項１１の考案は、前記接触部が左右方向に外向きに延伸された延伸部を具えたことを特徴とする、請求項１０記載のラベリングマシンの紙押さえ装置としている。
　請求項１２の考案は、前記ケースの両側面に延伸部と組み合わされる凹部が設けられ、この凹部が底端の開口と連通することを特徴とする、請求項９記載のラベリングマシンの紙押さえ装置としている。
　請求項１３の考案は、前記接触部が円弧面とされたことを特徴とする、請求項９記載のラベリングマシンの紙押さえ装置としている。
　請求項１４の考案は、前記接触部が平面とされたことを特徴とする、請求項９記載のラベリングマシンの紙押さえ装置としている。
【考案の効果】
【０００９】
　本考案は、一種のラベリングマシンの紙押さえ装置を提供し、それは、ラベリングマシンの紙送出口のロッドに配置されて、ラベル紙の寸法による調整が行なえ、有効にラベル紙を押さえることができる押さえ装置であり、またこの押さえ装置とラベリングマシンの押し板の間に線接触或いは線接触よりも範囲が更に大きい面接触を形成し、良好な施力平均性を達成する。
【考案を実施するための最良の形態】
【００１０】
　本考案の提供するラベリングマシンの紙押さえ装置は、ラベリングマシンの送出口ロッドに配置され、並びにロッド上で移動調整可能で、且つ送出口の押し板を押さえる紙押さえ装置であり、該ロッドが挿通されたケースと、該ケース内に収容されてケース外に突出する調整ユニットと、該調整ユニットとロッドの間に設けられた係合ユニットと、該ケース内に配置されて調整ユニットの下方に位置する内回転輪と、ケース内に配置され並びに内回転輪の下方に位置する弾性ユニットと、該ケース内部にあって弾性ユニットの下方に位置決めされた押さえユニットで構成され、ケースが左右に移動する時、係合ユニットがロッドの位置決め孔に対応し係合し、該調整ユニットに接続された弾性ユニットが紙押さえ装置の締めつけ度を調整するのに用いられ、弾性ユニットの底端に接続された押さえユニットが紙を圧迫する押し板に平均して施力する。
【実施例１】
【００１１】
　図２から図９を参照されたい。本考案のラベリングマシンの紙押さえ装置１は、対をなすように設けられ、且つ複数の位置決め孔２１を具えたロッド２に套設され、該紙押さえ装置１は、ケース１１、調整ユニット、係合ユニット１６、弾性ユニット１４、押さえユニット１５を具えている。
【００１２】
　図３から図５に示されるように、該ケース１１は内部収容空間、上面１１１、二つの相互に対応する表面１１２及び二つの相互に対応する側面１１３を具え、該ケース１１はこの二つの側面１１３の上面１１１に近い部分に相互に対応する穿孔１１４を具え、該穿孔１１４がロッド２の挿通に供され、且つ該ケース１１は少なくとも一方の表面１１２に少なくとも一つの凹口１１５を具え、二つの相互に対応する固定孔１１７が該ケース１１の所定の位置に設けられ、開口１１６が該ケース１１の底端に設けられている。
【００１３】
　該調整ユニットは該ケース１１の収容空間内に収容されると共に該ロッド２の下に置かれ、並びに該収容空間より延伸されて該凹口１１５より伸出して該ケース１１より突出し、該紙押さえ装置１の操作高度を調整するのに用いられる。
【００１４】
　該調整ユニットは外回転輪１２と内回転輪１３を具え、該ケース１１内にあってロッド２の下に、該外回転輪１２の一部が収容され且つ一部が該ケース１１の凹口１１５より外向きに突出し、該外回転輪１２の底面に外ラチェット爪１２２が設けられている。該外回転輪１２はさらに施力して該外回転輪１２を回転させるのに便利な模様を具えた環側面１２３を具えている。該外回転輪１２はさらにその上表面１２４に順番に番号が設けられ、この番号は調整ユニットにより調整される操作高度に対応する。
【００１５】
　該内回転輪１３は該ケース１１内に設けられ、且つ外回転輪１２の下に位置し、該内回転輪１３にあって軸方向に沿って外回転輪１２と隣接する上端に、外ラチェット爪１２２と組み合わされる内ラチェット爪１３１が設けられ、且つ該内回転輪１３は中空を呈する。
【００１６】
　該係合ユニット１６は該調整ユニットと該ロッド２の間に設けられ、これによりケース１１が左右に移動するとき、該係合ユニット１６が該ロッド２の位置決め孔２１に対応しそれと係合する。該係合ユニット１６は位置決めビーズとされて該外回転輪１２の上表面の軸心部分と該ロッド２のそのうち一つの位置決め孔２１の間に配置されて、該紙押さえ装置１とロッド２の係合に供される。該係合ユニット１６はさらに外回転輪１２の上表面の軸心部分に一体成形される。
【００１７】
　該弾性ユニット１４は該調整ユニットの該内回転輪１３の内側に接続され、該紙押さえ装置１の押圧力を調整するのに用いられ、該弾性ユニット１４はバネ或いは板バネとされる（図６）。
【００１８】
　該押さえユニット１５は該弾性ユニット１４の底端に接続されて紙５に接触する押し板４を平均して押圧するのに供される。該押さえユニット１５はケース１１の二つの固定孔１１７に対応する位置に二つの相互に対応する保持部１５１を具え、底端に接触部１５２を具え、該接触部１５２は押し板４に接触し、該接触部１５２は円弧面とされて該押し板４との間に線接触を形成する。
【００１９】
　該ケース１１の二つの固定孔１１７は二つの相互に対応する側面１１３に設けられている。
【００２０】
　或いは図７のように、この二つの固定孔１１７は該ケース１１の二つの相互に対応する表面１１２に設けられる。図８に示されるように、該接触部１５２はさらに左右に外向きに延伸された延伸部１５３を具え、これにより紙押さえ装置と該押し板４の接触範囲を増加し、該ケース１１の二つの側面１１３には該延伸部と組み合わされる凹部１１８が設けられ、該凹部１１８は開口１１６と連通している。
【００２１】
　図９に示されるように、該接触部１５２は平面とされて、該押し板４との間に面接触を形成するのに供されうる。これにより紙押さえ装置と押し板の接触範囲を更に増加することができる。
【００２２】
　ゆえに、本考案は係合ユニット１６がケース１１が左右に移動する時、該ロッド２のそのうちの一つの位置決め孔２１と組み合わされることにより、紙押さえ装置２がロッド２の所定の位置に調整され、これにより紙５の寸法に応じて紙押さえ装置１を調整する目的を達成する。
【００２３】
　本考案の提供する紙押さえ装置１は押さえユニット１５の接触部１５２と押し板４の間に線接触或いは面接触を形成し、これにより、紙押さえ装置と押し板の接触範囲を更に増加し、紙押さえ装置の押し板に対する施力を平均させることができる。
【図面の簡単な説明】
【００２４】
【図１】周知のラベリングマシンの紙押さえ装置の構造表示図である。
【図２】本考案のラベリングマシンの紙押さえ装置の第１実施例表示図である。
【図３】図２の紙押さえ装置の分解図である。
【図４】図２の局部断面立体図である。
【図５】図２のＡ−Ａ断面図である。
【図６】本考案中、弾性手段のもう一つの実施例表示図である。
【図７】本考案のラベリングマシンの紙押さえ装置の第２実施例表示図である。
【図８】本考案のラベリングマシンの紙押さえ装置の第３実施例表示図である。
【図９】本考案のラベリングマシンの紙押さえ装置の第４実施例表示図である。
【符号の説明】
【００２５】
１ａ　紙押さえ装置　　　　　　１１ａ　管体
１１１ａ　穿孔　　　　　　　　１１２ａ　開口
１２ａ　キャップ　　　　　　　１３ａ　バネ
１４ａ　押さえ柱　　　　　　　２ａ　ロッド
３ａ　ネジ　　　　　　　　　　４ａ　押し板
５ａ　紙
１　紙押さえ装置　　　　　　　１１　ケース
１１１　上面　　　　　　　　　１１２　表面
１１３　側面　　　　　　　　　１１４　穿孔
１１５　凹口　　　　　　　　　１１６　開口
１１７　固定孔　　　　　　　　１１８　凹部
１２　外回転輪　　　　　　　　１２２　外ラチェット爪
１３　内回転輪　　　　　　　　１３１　内ラチェット爪
１４　弾性ユニット　　　　　　１５　押さえユニット
１５１　保持部　　　　　　　　１５２　接触部
１５３　延伸部　　　　　　　　１６　係合ユニット
２　ロッド　　　　　　　　　　２１　位置決め孔
４　押し板　　　　　　　　　　５　紙
【図１】
0003099995.tif 000003
【図２】
0003099995.tif 000004
【図３】
0003099995.tif 000005
【図４】
0003099995.tif 000006
【図５】
0003099995.tif 000007
【図６】
0003099995.tif 000008
【図７】
0003099995.tif 000009
【図８】
0003099995.tif 000010
【図９】
0003099995.tif 000011